(57)【要約】  本発明は、放電ランプ（ＥＬ）を作動させる回路装置に関する。この回路装置は、整流器（ＧＬ）を具備しており、当該整流器は第１の入力端子と第２の入力端子を、供給交流電圧との結合のために有しており、第１の出力端子と第２の出力端子を動作直流電圧（ＵＺＷ）を供給するために有しており；自由振動するハーフブリッジインバータを有しており、当該ハーフブリッジインバータは、電圧制御される２つの電子スイッチ（Ｔ１、Ｔ２）の直列回路を有しており、当該直列回路は整流器（ＧＬ）の第１の出力端子と第２の出力端子の間に結合されており、ここで第１の電子スイッチ（Ｔ１）と第２の電子スイッチ（Ｔ２）との間には、ハーフブリッジ中心点（ＨＢ）が形成されている；前記インバータ（Ｔ１、Ｔ２）の自由振動発振を開始させるための始動回路を有しており、ここで当該始動回路は、第１と第２の出力端子を備えた駆動回路（ＡＳ）を含んでおり、ここで当該駆動回路（ＡＳ）の前記第１の出力端子は、前記第１の電子スイッチ（Ｔ１）および第２の電子スイッチ（Ｔ２）の制御電極と結合されており、さらに前記始動回路は第１と第２の接続端子を備えた始動コンデンサ（Ｃ５）を含んでおり、前記始動コンデンサ（Ｃ５）の第１の接続端子は、一方では第１のオーム抵抗（Ｒ１）を介して、前記整流器（ＧＬ）の第１の出力端子と結合されており、他方では前記駆動回路（ＡＳ）の第２の出力端子と結合されており；前記始動コンデンサの第２の接続端子は、前記ハーフブリッジ中心点（ＨＢ）と結合されており；当該ハーフブリッジ中心点（ＨＢ）はプルダウン抵抗（Ｒ２）を介して、前記整流器（ＧＬ）の第２の出力端子と結合されている。本発明はさらに、この種の回路装置での、放電ランプを作動させる方法に関する。
2010533938.tif 000002
【特許請求の範囲】
【請求項１】
放電ランプ（ＥＬ）を作動させる回路装置であって、当該回路装置は、
・整流器（ＧＬ）を具備しており、当該整流器は第１の入力端子と第２の入力端子を、給電交流電圧との結合のために有しており、第１の出力端子と第２の出力端子を作動直流電圧（ＵＺＷ）を供給するために有しており；
・自由振動するハーフブリッジインバータを有しており、当該ハーフブリッジインバータは、電圧制御される２つの電子スイッチ（Ｔ１、Ｔ２）の直列回路を有しており、当該直列回路は前記整流器（ＧＬ）の第１の出力端子と第２の出力端子の間に結合されており、ここで前記第１の電子スイッチ（Ｔ１）と第２の電子スイッチ（Ｔ２）との間には、ハーフブリッジ中心点（ＨＢ）が形成されており；
・前記インバータ（Ｔ１、Ｔ２）の自由振動発振を開始させるための始動回路を有しており、ここで当該始動回路は、第１と第２の出力端子を備えた駆動回路（ＡＳ）を含んでおり、当該駆動回路（ＡＳ）の前記第１の出力端子は、前記第１の電子スイッチ（Ｔ１）および第２の電子スイッチ（Ｔ２）の制御電極と結合されており、さらに前記始動回路は第１と第２の接続端子を備えた始動コンデンサ（Ｃ５）を含んでいる形式のものにおいて、
前記始動コンデンサ（Ｃ５）の第１の接続端子は、一方では第１のオーム抵抗（Ｒ１）を介して、前記整流器（ＧＬ）の第１の出力端子と結合されており、他方では前記駆動回路（ＡＳ）の第２の出力端子と結合されており；
前記始動コンデンサの第２の接続端子は、前記ハーフブリッジ中心点（ＨＢ）と結合されており；当該ハーフブリッジ中心点（ＨＢ）はプルダウン抵抗（Ｒ２）を介して、前記整流器（ＧＬ）の第２の出力端子と結合されている、
ことを特徴とする、放電ランプを作動させる回路装置。
【請求項２】
前記回路装置はさらに、少なくとも１つの一次側コイルを備えたランプチョーク（Ｌ２）を含んでおり、当該ランプチョークは放電ランプ（ＬＡ）に対する端子と直列に結合されており、
前記駆動回路（ＡＳ）は、第１と第２の端子を備えたインダクタンス（ＨＷ１）を有しており、当該インダクタンスは前記ランプチョークの二次側コイルであり、
前記駆動回路はさらに、第２のオーム抵抗（Ｒ３）と並列振動回路（Ｃ３、Ｌ３）から成る直列回路を含んでおり、当該直列回路は、前記インダクタンス（ＨＷ１）の第１の端子と第２の端子の間に結合されている、請求項１記載の回路装置。
【請求項３】
第２のオーム抵抗（Ｒ２）に対して、バイパス回路（Ｃ４、Ｒ４）が並列に接続されており、当該バイパス回路はコンデンサ（Ｃ４）を含んでいる、請求項２記載の回路装置。
【請求項４】
前記バイパス回路は第３のオーム抵抗（Ｒ４）を含んでおり、当該オーム抵抗は前記コンデンサ（Ｃ４）に対して直列接続されている、請求項３記載の回路装置。
【請求項５】
前記回路装置はさらに、ダイオード（Ｄ１）を含んでおり、当該ダイオードは一方で、第１のオーム抵抗（Ｒ１）に対して並列に接続されており、前記第１の電子スイッチ（Ｔ１）が導通接続されている場合には、当該第１の電子スイッチ（Ｔ１）を介して前記始動コンデンサ（Ｃ５）の放電を可能にするように配向されている、請求項１から４までのいずれか１項記載の回路装置。
【請求項６】
前記始動コンデンサ（Ｃ５）の第１の端子は、別のオーム抵抗（Ｒ５）を介して、前記整流器（ＧＬ）の第２の出力端子と結合されている、請求項１から４までのいずれか１項記載の回路装置。
【請求項７】
前記回路装置は別のコンデンサ（Ｃ１０）を含んでおり、当該コンデンサは、前記駆動回路（ＡＳ）の第１の出力端子と、前記第２の電子スイッチ（Ｔ２）の制御電極との間に結合されている、請求項６記載の回路装置。
【請求項８】
前記回路装置は別のオーム抵抗（Ｒ１０）を含んでおり、当該オーム抵抗は前記制御電極と、前記第２の電子スイッチ（Ｔ２）の動作電極との間に結合されている、請求項７記載の回路装置。
【請求項９】
前記ハーフブリッジインバータの前記２つの電子スイッチ（Ｔ１、Ｔ２）は、補完的な極性のトランジスタである、請求項１から８までのいずれか１項記載の回路装置。
【請求項１０】
前記ハーフブリッジインバータの前記２つの電子スイッチ（Ｔ１、Ｔ２）は、同じ極性のトランジスタである、請求項１から９までのいずれか１項記載の回路装置。
【請求項１１】
回路装置の放電ランプ（ＥＬ）を作動させる方法であって、当該回路装置は、
・整流器（ＧＬ）を具備しており、当該整流器は第１の入力端子と第２の入力端子を、給電交流電圧との結合のために有しており、第１の出力端子と第２の出力端子を作動直流電圧（ＵＺＷ）を供給するために有しており；
・自由振動するハーフブリッジインバータを有しており、当該ハーフブリッジインバータは、電圧制御される２つの電子スイッチ（Ｔ１、Ｔ２）の直列回路を有しており、当該直列回路は前記整流器（ＧＬ）の第１の出力端子と第２の出力端子の間に結合されており、ここで前記第１の電子スイッチ（Ｔ１）と第２の電子スイッチ（Ｔ２）との間には、ハーフブリッジ中心点（ＨＢ）が形成されており；
・前記インバータ（Ｔ１、Ｔ２）の自由振動発振を開始させるための始動回路を有しており、ここで当該始動回路は、第１と第２の出力端子を備えた駆動回路（ＡＳ）を含んでおり、当該駆動回路（ＡＳ）の前記第１の出力端子は、前記第１の電子スイッチ（Ｔ１）および第２の電子スイッチ（Ｔ２）の制御電極と結合されており、さらに前記始動回路は第１と第２の接続端子を備えた始動コンデンサ（Ｃ５）を含んでおり；
当該方法は以下のステップを有しており：
ａ）前記始動コンデンサ（Ｃ５）を充電し、当該始動コンデンサ（Ｃ５）の第１の接続端子は、前記駆動回路（ＡＳ）の第２の出力端子と結合されており、前記始動コンデンサの第２の接続端子は前記ハーフブリッジ中心点（ＨＢ）と結合されており、
前記充電は、作動直流電圧と結合されている第１のオーム抵抗（Ｒ１）と、プルダウン抵抗（Ｒ２）を介して行われ、当該プルダウン抵抗（Ｒ２）は前記ハーフブリッジ中心点（ＨＢ）と前記整流器（ＧＬ）の第２の出力端子の間に結合されており、
前記充電は、前記第１の電子スイッチ（Ｔ１）のスイッチング過程が行われている間行われ、これによって充電コンデンサ（Ｃ５）が少なくとも部分的に放電され；
ｂ）前記インバータ（Ｔ１、Ｔ２）の発振が開始されるまで、ステップａ）を繰り返す、
ことを特徴とする、回路装置の放電ランプ（ＥＬ）を作動させる方法。
【発明の詳細な説明】
【技術分野】
【０００１】
技術分野
本発明は、放電ランプを作動させる回路装置に関する。この回路装置は整流器を具備しており、この整流器は第１の入力端子と第２の入力端子を、給電交流電圧との結合のために有しており、第１の出力端子と第２の出力端子を動作直流電圧を供給するために有している。さらにこの回路装置は、自由振動するハーフブリッジインバータを有しており、このハーフブリッジインバータは、電圧制御される２つの電子スイッチの直列回路を有しており、この直列回路は整流器の第１の出力端子と第２の出力端子の間に結合されている。ここで、第１の電子スイッチと第２の電子スイッチとの間には、ハーフブリッジ中心点が形成されている。さらにこの回路装置は、インバータの自由振動発振を開始させるための始動回路を有しており、ここでこの始動回路は、第１と第２の出力端子を備えた駆動回路を含んでおり、ここでこの駆動回路の第１の出力端子は、第１および第２の電子スイッチの制御電極と結合されており、さらに始動回路は第１と第２の出力端子を備えた始動コンデンサを含んでいる。本発明はさらに、このような回路装置での放電ランプを作動させる方法に関する。
【０００２】
従来技術
全般的に本発明は、自由振動するハーフブリッジインバータを自立的に始動させるための回路装置に関する。ここでこのハーフブリッジインバータは、電圧制御されたトランジスタ、例えばＭＯＳＦＥＴまたはＩＧＢＴを、給電電圧印加時のスイッチとして有している。
【０００３】
独立請求項の上位概念の形成に用いられたＥＰ０９１７４１２Ｂ１号から、ハーフブリッジトランジスタの最初のスイッチオンに必要な電圧をコンデンサの充電によって供給することが既知である。このコンデンサは、ハーフブリッジインバータのトランジスタを制御する駆動回路に直列に接続されている。この直列に挿入されたコンデンサの不所望な、静止した充電状態、ひいてはハーフブリッジインバータの「スタート失敗（Haengenbleibens）」を回避するために、上述の特許においては、このコンデンサを、抵抗を介して給電網から直接的に充電することが提案されている。このような給電網接続によって、半分の給電網周波数での始動試行が、ハーフブリッジインバータの自己振動発振が開始されるまで繰り返される。上述の特許においては、２つのハーフブリッジトランジスタに対して別個の駆動回路が設けられている実施例が示されているだけである。
【０００４】
しかし、コスト削減ないしは回路装置の簡易化のために、補完的なトランジスタ（ｎチャネルおよびｐチャネル）からハーフブリッジインバータを構成することも可能である。ここで２つのトランジスタは、同じ駆動回路によって制御される。この原理は、ＥＰ０７８１０７７Ｂ１号から既知である。ここではハーフブリッジインバータを始動させるためにさらに１つのダイアックが必要である。ＥＰ０９１７４１２Ｂ１号のアイデアは、ＥＰ０７８１０７７Ｂ１号から既知の回路装置に転用される。これは、回路の始動に必要なコンデンサを、駆動回路に対して直列に接続することによって行われる。ここでは、「給電網始動（Netzanlauf）」の機能性が完全に与えられる。
【０００５】
しかしここで、始動コンデンサの充電に必要な抵抗の端子の１つが、放電ランプの作動中に実際にハーフブリッジ中心ポテンシャルにあるのは不利である。しかし始動抵抗の別の接続端子を２つの給電網線路の１つと接続することによって、この中心ポテンシャルの高周波の矩形電圧が始動抵抗を介して給電網に加えられる。これは、結果として、装置全体の高い電波雑音値となる。なぜなら、電流が始動抵抗、ひいては高周波の、実質的に矩形のノイズ信号を通して、無線妨害フィルタを通過して、直接的に給電網内に導かれてしまうからである。これを回避するために、始動抵抗が、２つの給電網線路のうちの１つの給電網線路と接続される代わりに、正の給電電圧、いわゆる中間回路電圧を供給する整流器の接続端子と接続されると、これによって次のような欠点がもたらされる。すなわち、このような回路装置が１回の始動試行しか可能にしない、すなわち始動試行が失敗に終わると、回路が「スタートできない」。
【０００６】
発明の開示
従って本発明の課題は、上述した様式の回路装置ないし方法を次のように改善することである。すなわち、一方では高い電波雑音値が回避され、他方では、それにもからわらず回路装置の確実な始動が、給電網電圧の印加後にでも保証されるように改善することである。
【０００７】
本発明は、次のような知識に基づいている。すなわち、ＥＰ０７８１０７７Ｂ１号とＥＰ０９１７４１２Ｂ１号の教示を組み合わせ、次に、給電網線路の代わりに、正の整流器出力側に始動抵抗をクランプ結合する（Umklemmen）ことによって上述の課題は解決されないという知識である。なぜなら始動コンデンサに、繰り返される始動試行を阻止する静的な電圧特性が生じるからである。従って本発明では、始動コンデンサはハーフブリッジ中心点と結合され、このハーフブリッジ中心点がプルダウン抵抗を介して、整流器の第２の出力端子と結合される。このような位置関係によって、ハーフブリッジ中心点のポテンシャルを、プルダウン抵抗を介して、失敗した始動試行後に再び、第２の整流器出力側によって供給される、負の基準電圧にすることができる。これによって始動コンデンサは新たに充電され、新たな始動試行を可能にする。このような回路装置で、それを介してコンデンサが正のポテンシャルと接続される抵抗がもはや給電網線路と接続されずに、正の整流器出力側と接続されることによって、電波ノイズが給電網内に伝わることが阻止される。
【０００８】
有利な実施形態では回路装置はさらに、ランプチョークを有している。これは、少なくとも１つの一次側コイルを有しており、この一次側コイルは、放電ランプに対する端子と直列に結合されている。ここで駆動回路は第１と第２の端子を具備しているインダクタンスを有している。これはランプチョークの二次側コイルである。並びに、駆動回路は、第２のオーム抵抗と平行振動回路から成る直列回路を有している。この直列回路は、インダクタンスの第１端子と第２端子の間に結合されている。特に有利にはここでは、第２のオーム抵抗に対して、バイパス回路（Ueberbrueckungsschaltung）が並列に接続されている。このバイパス回路はコンデンサを含んでいる。この特に有利な構成は、回路装置を始動させるためには、給電網電圧の印加後にはじめにスイッチオンする、ハーフブリッジインバータのトランジスタの制御電圧が十分に大きくなければならない、という知識に基づいている。これは始動コンデンサが、このトランジスタのスイッチオンによって既に放電され、これによって効果的な制御電圧、すなわち始動コンデンサでの電圧の総計と駆動回路の出力電圧が傾向的に低減されるであろう場合でもある。始動コンデンサの放電開始時に、トランジスタに対する充分な制御電圧を維持することは有利には次のことによって保証される。すなわち、駆動回路が迅速に、十分な出力電圧を供給することによって保証される。このために、このコンデンサは、スイッチオンパルスの高周波数のスペクトル成分に対して非常に低い抵抗であるので、継続作動においてハーフブリッジインバータの電子スイッチを駆動するのに必要な第２のオーム抵抗がバイパスされる。コンデンサを介して流れる電荷担体によって、並列振動回路内に設けられているコンデンサを格段に迅速に充電することができる。ここれによって、はじめにスイッチオンされるべきハーフブリッジトランジスタのための充分に高い制御電圧を迅速に供給することが可能になる。
【０００９】
これによってハーフブリッジインバータのはじめにスイッチオンすべきスイッチでの制御電圧が、充分でないという危険性は、始動コンデンサの放電にもかかわらず、効果的に対処される。
【００１０】
有利には、バイパス回路は第３のオーム抵抗を含む。これはコンデンサに対して直列接続されている。この第３のオーム抵抗は、２つの利点をもたらす：１つは、ランプチョーク上の二次側コイルが提供する電圧の矩形成分を減衰させる。これは、ランプチョークが一方では、高周波矩形信号が存在するハーフブリッジ中心点と接続され、他方では、実質的に正弦波形状の信号をランプチョークの別の端子に印加するランプと接続されていることに由来する。この第３のオーム抵抗によって、継続作動時に、実質的に正弦波形状の信号が、ハーフブリッジインバータの２つの電子スイッチの制御に使用可能になる。他方では、第３のオーム抵抗は、ハーフブリッジインバータの振動の間に可能な無駄時間を長くする。これによって、ハーフブリッジインバータのスイッチの損失の無いスイッチングが可能になる。全般的に、この第３のオーム抵抗は、第２のオーム抵抗と比べると格段に小さく構成される。
【００１１】
さらに有利には、本発明の回路装置はさらにダイオードを含んでいる。これは第１には、オーム抵抗に対して並列に接続され、次のように配向される。すなわち、第１の電子スイッチが導電性に接続されている場合に、このダイオードが、第１の電子スイッチを介して始動コンデンサの放電を実現することができるように配向される。これによってこのダイオードは、始動コンデンサを、始動が成功した後に放電させる。従って、別の始動試行が回路装置の作動を妨害することはない。
【００１２】
有利な実施形態では、始動コンデンサの第１の端子が、別のオーム抵抗を介して、整流器の第２の出力端子と結合されている。この実施形態では、前の段落で述べたダイオードを設けることが不要である。始動コンデンサの放電はここでは第１と第２のオーム抵抗を介して行われる。この理由は、作動中に始動コンデンサの２つの接続端子が中央で、ちょうどハーフブリッジ電圧の半分に相当するポテンシャルにあることにある。これによって、始動コンデンサは作動中に放電される。
【００１３】
ここで、駆動回路の第１の出力端子と、第２の電子スイッチの制御電極との間に結合されている別のコンデンサが設けられているのは有利である。始動コンデンサの純粋なオーム放電時には、電圧が始動コンデンサを介して減衰するまで少し時間がかるので、駆動回路の出力電圧は正のオフセット成分を有している。このオフセット成分は、第２のトランジスタのスイッチオンに対向して作用する。なぜなら、第２のトランジスタのために使用可能な制御電圧は、このオフセット成分によって低減されるからである。提案された別のコンデンサは、結合コンデンサとして作用し、上述したオフセット電圧になる。第２の電子スイッチの制御電極と作動電極の間に結合されているオプショナルの別のオーム抵抗によって、駆動回路の出力電圧の純粋な交流電圧成分が下降する。これによって、迅速に十分に、負の電圧が、第２のトランジスタの制御のために得られる。
【００１４】
ハーフブリッジインバータの２つの電子スイッチは、補完的な極性のトランジスタであっても、同じ極性のトランジスタであってもよい。補完的な極性のトランジスタの使用は、駆動回路が１つだけ設けられればよいという利点を提供する。
【００１５】
別の有利な実施形態は、従属請求項に記載されている。
【００１６】
本発明の回路装置と関連して提示された有利な実施形態およびその利点は、本発明の方法にも当てはまり、適用可能である。
【００１７】
次に、本発明による回路装置の実施例を、添付図面を参照して詳細に説明する。
【図面の簡単な説明】
【００１８】
【図１】本発明による回路装置の第１の実施例の概略図
【図２】本発明による回路装置の第２の実施例の概略図
【図３】本発明による回路装置の第３の実施例の概略図
【図４】図１の実施例に対する、始動コンデンサを介した電圧の時間的な経過特性、２つのハーフブリッジトランジスタに対する制御電圧の時間的な経過特性、ハーフブリッジ電圧の時間的な経過特性およびランプチョークを流れる負荷電流の時間的な経過特性
【図５】図１の実施例に対する、図４とは別の時間的分可能の、殊に失敗した試行の後に行われた、成功した発振立ち上がり試行における、始動コンデンサを介した電圧の時間的な経過特性、２つのハーフブリッジトランジスタに対する制御電圧の時間的な経過特性、ハーフブリッジ電圧の時間的な経過特性およびランプチョークを流れる負荷電流の時間的な経過特性
【図６】高い時間分解能における、失敗に終わった発振立ち上がり試行の領域における、図５の量の時間的経過特性
【図７】図４に相応する、図２に示された回路装置に対する相応する量の時間的な経過特性
【００１９】
発明の有利な実施形態
以下では、同じおよび同様の作用を有する部材には同じ参照符号が使用されている。参照符合は、分かりやすくするために１回しか挿入されない。
【００２０】
図１は、負荷ＥＬとして示されている放電ランプを作動させる、本発明による回路装置の第１の実施例を概略的に示している。ここでは、ヒューズＳＩを介して整流器ＧＬに給電網電圧が供給される。この整流器は、電解コンデンサＣ１を給電するないしは電圧に保持する。電解コンデンサＣ１では、２つの給電分岐がタップされ、コイルＬ１から成るフィルタを介してこれらの分岐のうちの１つへと続き、さらに２つの分岐を接続しているコンデンサＣ２を介する。図１における下方の給電分岐は負のポテンシャルを有しており、回路装置の整流される側の基準ポテンシャルを定める。これに対して上方は、正の給電分岐である。２つの給電分岐の間には、ＮチャネルトランジスタＴ１とＰチャネルトランジスタＴ２から成るハーフブリッジが位置している。このハーフブリッジの中心点ＨＢと正の給電分岐の間には、負荷直列ランプチョークＬ２、放電ランプＥＬおよび負荷直列結合Ｃ７から成るコンデンサの負荷回路が位置している。さらに、２つの共振コンデンサＣ８およびＣ９およびランプ点弧に対する正特性サーミスタＫＬを備えた負荷並列接続が設けられている。
【００２１】
ＭＯＳＦＥＴトランジスタＴ１およびＴ２の接続負荷軽減のために、上方のハーフブリッジトランジスタＴ１に対して、コンデンサＣ６が並列に位置している。
【００２２】
トランジスタ内部の基準電圧としてのトランジスタＴ１とＴ２のソース端子と、各ゲート端子との間には、駆動回路ＡＳが位置している。駆動回路ＡＳは、コイルＬ３とコンデンサＣ３の並列回路および、制御変圧器の二次側コイルＨＷ１と抵抗Ｒ３からの直列回路を有している。この制御変圧器の一次側コイルは、上述したランプチョークＬ２である。抵抗Ｒ３に対して並列に、コンデンサＣ４と抵抗Ｒ４の直列回路が接続されている。
【００２３】
トランジスタＴ１のゲート端子とソース端子との間に、駆動回路ＡＳに対して直列に、始動コンデンサＣ５が結合されている。駆動回路ＡＳと始動コンデンサＣ５との間の接続点は、オーム抵抗Ｒ１を介して、正の給電分岐と接続されている。また、ハーフブリッジ中心点はプルダウン抵抗Ｒ２を介して負の給電分岐と接続されている。
【００２４】
オーム抵抗Ｒ１には、ダイオードＤ１が並列に接続されている。
【００２５】
回路を始動させるために、始動コンデンサＣ５が、抵抗Ｒ１とプルダウン抵抗Ｒ２を介して充電される。始動が成功した後、すなわちトランジスタＴ１が最初に完全に導通されるときに、始動コンデンサＣ５は実質的にダイオードＤ１およびトランジスタＴ１を介して再び放電される。
【００２６】
始動試行が失敗に終わると、ハーフブリッジ中心点ＨＢでのポテンシャルは、プルダウン抵抗Ｒ２を介して再び負の基準ポテンシャルにさる。これによって、始動コンデンサＣ５が新たに充電され、新たな始動試行が可能になる。
【００２７】
この始動試行の周期性は抵抗Ｒ１およびＲ２並びにコンデンサＣ５および中間回路電圧ＵＺＷの設計によって決まる。中間回路電圧はコンデンサＣ１に供給される。抵抗Ｒ３は容量的にバイパスされる。この抵抗Ｒ３を介して、コイルＬ３とコンデンサＣ３を含んでいる並列振動回路がランプチョークＬ２の二次側コイルＨＷ１と接続される。この容量的なバイパスは、微分特性によって、並列振動回路の容量Ｃ３の迅速な充電、ひいては、スイッチオンされるべきハーフブリッジトランジスタＴ１に対する充分に高い制御電圧の迅速な供給を可能にする。
【００２８】
しかし抵抗Ｒ３の純粋に容量性のバイパスは次のような欠点を有している。すなわち、通常作動時に、制御電圧がハーフブリッジの整流フェーズにおいて、それぞれスイッチオンされるべきトランジスタを過度に迅速にスイッチオンしてしまい、これによって損失が生じてしまうという欠点を有している。この作用を弱めるために、容量Ｃ４に対して直列にさらに抵抗Ｒ４が接続される。構成部材Ｒ３、Ｒ４およびＣ４の適切な設計によって、始動および作動に関して、回路全体の最適な特性が定められる。
【００２９】
図２は、本発明の回路装置の実施形態を示している。ここでは始動コンデンサＣ５の放電は、ダイオードによっては行われずに、オーム抵抗Ｒ１およびＲ５を介して行われる。
【００３０】
作動時には、始動コンデンサＣ５の２つの接続端子は、ハーフブリッジ電圧のちょうど半分に相応するポテンシャルの中央に位置する。これによって、コンデンサＣ５が放電される。ハーフブリッジが発振していない時間の間、始動コンデンサＣ５が充電される。なぜなら、ハーフブリッジ側の端子がプルダウン抵抗Ｒ２を介して負の給電ポテンシャルになるからである。
【００３１】
図３は、図２の回路装置の改善された実施形態を示している。始動コンデンサＣ５の純粋なオーム放電時には、電圧が始動コンデンサＣ５を介して減衰されるまで少しの時間がかかるので、駆動回路ＡＳの出力電圧は時折、正のオフセット成分を有する。このオフセット成分はトランジスタＴ２のスイッチオンに対向して作用する。なぜなら、トランジスタＴ２のために使用可能な制御電圧は、このオフセット成分によって低減されるからである。
【００３２】
従って、別のコンデンサＣ１０が提案される。このコンデンサは、結合コンデンサとして、上述したオフセット電圧になる。抵抗Ｒ１０では、駆動回路ＡＳの出力電圧の純粋な交流電圧成分が下降し、これによって、迅速に十分な、負の電圧が、トランジスタＴ２を駆動するために得られる。
【００３３】
図４から図７は、始動コンデンサＣ５を介した電圧の時間的な経過特性、２つのトランジスタに対する制御電圧ＵＧＳの時間的な経過特性、ハーフブリッジ電圧ＵＨＢの時間的な経過特性およびランプチョークＬ２を流れる負荷電流ＩＬの時間的な経過特性を、本発明の種々の実施例に対する種々の作動フェーズにおいて、示している。
【００３４】
図４は、発振の発振立ち上がり振動の電圧特性と電流特性を示している。電圧ＵＣ５が始動コンデンサＣ５を介して、ハーフブリッジ電圧ＵＨＢが正の給電ポテンシャルに達した時点ｔ１から低下しているのにもかかわらず、トランジスタＴ１、Ｔ２の制御電圧ＵＧＳが増大することが、明確に分かる。これによって、始動コンデンサＣ５はダイオードＤ１およびトランジスタＴ１を介して放電される。制御電圧ＵＧＳの上昇勾配は、負荷電流ＩＬの上昇勾配よりも大きい。抵抗Ｒ３を、コンデンサＣ４および抵抗Ｒ４の直列回路によってバイパスすることによって、二次側コイルＨＷ１での電圧の急激な上昇が区別して並列振動回路Ｃ３、Ｌ３に伝えられる。
【００３５】
図５は、別の時間分解能で、成功した発振立ち上がり過程を示している。これは失敗した試行の後に行われたものである。この図から、失敗に終わった発振立ち上がり過程時にも、電圧が始動コンデンサＣ５を介して低下することが読み取れる。なぜなら、始動コンデンサＣ５は、ダイオードＤ１を介して少なくとも１度放電されるからである。ハーフブリッジ電圧ＵＨＢはプルダウン抵抗Ｒ２によって再び、負の給電ポテンシャルの方向へ引かれるので、元来の、給電網電圧の印加前に存在する電圧状態に達し、新たな始動試行が自動的に行われる。この特性によって、回路装置の高い作動確実性が可能になる。
【００３６】
図６は、図５の、失敗に終わった始動試行を高い時間分解能で示している。トランジスタＴ１をスイッチオンするのに制御電圧ＵＧＳは充分であるということが分かる。これによって、ハーフブリッジ電圧ＵＨＢが、正の給電ポテンシャルのレベルに達し、始動コンデンサＣ５はダイオードＤ１を介して一度放電される。しかし、制御電圧ＵＧＳの負の振動は、トランジスタＴ２をスイッチオンするのに充分ではない。振動全体が漸次的に振動し止む。それにもかかわらず使用している負荷電流ＩＬの振動はランプチョークＬ２を介して、周期的に、ハーフブリッジ電圧ＵＨＢを、正の給電ポテンシャルにする。これによって、始動コンデンサＣ５の多数回の放電が行われる。
【００３７】
図７は、図４と同じように、図２の回路装置が使用されている場合の装置の発振立ち上がりを示している。ハーフブリッジ電圧ＵＨＢが、正の給電ポテンシャルのレベルに達すると、始動コンデンサＣ５がもはや急激に放電されないことが明確に分かる。
【００３８】
図１から３において補完的なトランジスタＴ１、Ｔ２を備えた実施形態が示されているが、本発明は、２つの独立した駆動回路および同じ極性のトランジスタを有するハーフブリッジ回路の場合にも実現可能である。しかし、これは、提示された回路装置と比べて、より多くのコストがかかる。
【図１】
2010533938.tif 000003
【図２】
2010533938.tif 000004
【図３】
2010533938.tif 000005
【図４】
2010533938.tif 000006
【図５】
2010533938.tif 000007
【図６】
2010533938.tif 000008
【図７】
2010533938.tif 000009
【国際調査報告】
2010533938.tif 000010
2010533938.tif 000011
2010533938.tif 000012
2010533938.tif 000013
2010533938.tif 000014
2010533938.tif 000015